(57)【要約】【解決手段】ハンドル１とそのハンドル１の頭部に取り付けた刃体１２を保護し得るカバー２１とを備えている。カバー２１は、カバー２１から延設した操作腕２３により、ハンドル１に対しハンドル１の長手方向に沿う前後方向Ｘへ移動可能に支持されて、刃体１２を保護し得る刃体不使用位置Ｐと、刃体１２をカバー２１から露出し得る刃体使用可能位置とを取る。操作腕２３はカバー２１とともに移動して刃体不使用位置Ｐと刃体使用可能位置とを取る。ハンドル１と操作腕２３とには刃体不使用位置Ｐでカバー２１を刃体１２に対し回避し得るように移動させるカム面１１，３５をハンドル１の長手方向Ｘに対し傾斜して延設している。【効果】ハンドル１と操作腕２３との間のカム面１１，３５により、カバー２１が刃体１２に当接しないように移動するので、従来の医療用刃物で必要であった膨出部をカバー２１から省略することができる。【選択図】図３
2018143323.tif 000002
【特許請求の範囲】
【請求項１】
ハンドルとそのハンドルの頭部に取り付けた刃体を保護し得るカバーを有する可動体とを備えた医療用刃物において、この可動体は、ハンドルに対しハンドルの長手方向に沿う前後方向へ移動可能に支持されて、カバーにより刃体を保護し得る刃体不使用位置と、カバーから刃体を露出し得る刃体使用可能位置とを取り、前記ハンドルと可動体とには前記刃体不使用位置で可動体を刃体に対し回避し得るように移動させるカム面をハンドルの長手方向に対し傾斜して延設したことを特徴とする医療用刃物。
【請求項２】
ハンドルとそのハンドルの頭部に取り付けた刃体を保護し得るカバーとを備えた医療用刃物において、
このカバーは、カバーから延設した操作腕により、ハンドルに対しハンドルの長手方向に沿う前後方向へ移動可能に支持されて、刃体を保護し得る刃体不使用位置と、刃体をカバーから露出し得る刃体使用可能位置とを取り、
前記操作腕はカバーとともに移動して前記刃体不使用位置と刃体使用可能位置とを取り、
前記ハンドルと操作腕とには前記刃体不使用位置でカバーを刃体に対し回避し得るように移動させるカム面をハンドルの長手方向に対し傾斜して延設した
ことを特徴とする医療用刃物。
【請求項３】
前記ハンドルにおいて前後方向に対し直交する左右方向の両側に設けた左右両側部間には、前記操作腕が頭部から挿入される溝部を設けるとともに、その溝部でこの操作腕が案内される案内部を設け、
前記ハンドルのカム面はこの左右両側部間の案内部に設けられて前後方向へ延設され、
前記操作腕にはこの案内部が嵌入される案内孔を設け、前記操作腕のカム面はこの案内孔に設けられて前後方向へ延設されている
ことを特徴とする請求項２に記載の医療用刃物。
【請求項４】
前記ハンドルの案内部のカム面と前記操作腕の案内孔のカム面とは、それぞれ、一連に延設されて互いに摺接されることを特徴とする請求項３に記載の医療用刃物。
【請求項５】
前記操作腕は前後方向及び左右方向に対し直交する上下方向の両側でカバーから延設した上下両腕を有し、この上下両腕間の後端部に設けた連結部間が互いに離間した状態で上下両腕間に設けた長孔は、この上下両連結部を互いに連結した状態で、前記案内孔を形成することを特徴とする請求項３または請求項４に記載の医療用刃物。
【請求項６】
前記カバーは筒状をなし、前記刃体は前記刃体不使用位置でこのカバー内に収容されるとともに、前記刃体使用可能位置でこのカバーから露出することを特徴とする請求項１〜５のうちいずれか一つの請求項に記載の医療用刃物。
【請求項７】
前記刃体はハンドルの頭部に取り付けた支持部で屈曲された刃部を有し、前記カバーが前記刃体不使用位置で向く向きは、前記カバーが前記刃体使用可能位置で向く向きに対し刃部の屈曲向き側へ傾斜していることを特徴とする請求項６に記載の医療用刃物。
【請求項８】
ハンドルとそのハンドルの頭部に取り付けた刃体を保護し得るカバーを有する可動体とを備えた医療用刃物において、この可動体は、ハンドルに対しハンドルの長手方向に沿う前後方向へ移動可能に支持されて、カバーにより刃体を保護し得る刃体不使用位置と、カバーから刃体を露出し得る刃体使用可能位置とを取り、前記可動体が向く向きは前記刃体不使用位置と刃体使用可能位置とで互いに異なることを特徴とする医療用刃物。
【発明の詳細な説明】
【技術分野】
【０００１】
本発明は刃体を保護し得るカバーを備えた眼科用メスなどの医療用刃物に関するものである。
【背景技術】
【０００２】
従来、下記の特許文献１などにより開示された眼科用メスなどの医療用刃物においては、把持部の前端部に刃体を取り付けたハンドルと、この把持部内で前後方向へ移動可能に収容したカバーとを備えている。この刃体は支持部の前端部で屈曲された刃部を有している。このカバーは、把持部の前端部から前方へ突出して刃体を収容し得る刃体不使用位置と、把持部の前端部から後方へ退避する刃体使用可能位置とを取る。その刃体使用可能位置では、カバー支持部の前端部の刃体がカバーから前方へ突出して露出する。
【先行技術文献】
【特許文献】
【０００３】
【特許文献１】特許第４７４６５３８号公報
【発明の概要】
【発明が解決しようとする課題】
【０００４】
従来の眼科用メスなどの医療用刃物において、カバーの前端部にはカバーの刃体不使用位置で刃体の屈曲刃部が収容される膨出部を形成してカバーに対する刃体の当接を回避する必要があるため、その膨出部がハンドルの把持部から突出して嵩張る。
【０００５】
この発明は、眼科用メスなどの医療用刃物において、カバーの刃体不使用位置で刃体の屈曲刃部を収容するための膨出部のないカバーなどの可動体がハンドル側の刃体に当接しないように、ハンドルに対する可動体の移動手段を改良することを目的としている。
【課題を解決するための手段】
【０００６】
後記実施形態の図面（図１〜５）の符号を援用して本発明を説明する。
請求項１の発明にかかる医療用刃物は、ハンドル（１）とそのハンドル（１）の頭部に取り付けた刃体（１２）を保護し得るカバー（２１）を有する可動体（２０）とを備えている。この可動体（２０）は、ハンドル（１）に対しハンドル（１）の長手方向に沿う前後方向（Ｘ）へ移動可能に支持されて、カバー（２１）により刃体（１２）を保護し得る刃体不使用位置（Ｐ）と、カバー（２１）から刃体(１２)を露出し得る刃体使用可能位置（Ｑ）とを取る。前記ハンドル（１）と可動体（２０）とには前記刃体不使用位置（Ｐ）で可動体（２０）を刃体（１２）に対し回避し得るように移動させるカム面（１１，３５）をハンドル（１）の長手方向（Ｘ）に対し傾斜して延設した。
【０００７】
請求項１の発明では、ハンドル（１）と可動体（２０）との間のカム面（１１，３５）により、可動体（２０）が刃体（１２）に当接しないように移動するので、従来の医療用刃物においてカバーに対する刃体の当接を回避するために必要であった膨出部を可動体（２０）から省略することができる。
【０００８】
請求項２の発明にかかる医療用刃物は、ハンドル（１）とそのハンドル（１）の頭部に取り付けた刃体（１２）を保護し得るカバー（２１）とを備えている。このカバー（２１）は、カバー（２１）から延設した操作腕（２３）により、ハンドル（１）に対しハンドル（１）の長手方向に沿う前後方向（Ｘ）へ移動可能に支持されて、刃体（１２）を保護し得る刃体不使用位置（Ｐ）と、刃体（１２）をカバー（２１）から露出し得る刃体使用可能位置（Ｑ）とを取る。前記操作腕（２３）はカバー（２１）とともに移動して前記刃体不使用位置（Ｐ）と刃体使用可能位置（Ｑ）とを取る。前記ハンドル（１）と操作腕（２３）とには前記刃体不使用位置（Ｐ）でカバー（２１）を刃体（１２）に対し回避し得るように移動させるカム面（１１，３５）をハンドル（１）の長手方向（Ｘ）に対し傾斜して延設している。
【０００９】
請求項２の発明では、ハンドル（１）と操作腕（２３）との間のカム面（１１，３５）により、カバー（２１）が刃体（１２）に当接しないように移動するので、従来の医療用刃物においてカバーに対する刃体の当接を回避するために必要であった膨出部をカバー（２１）から省略することができる。
【００１０】
請求項２の発明を前提とする請求項３の発明にかかるハンドル（１）において、前後方向（Ｘ）に対し直交する左右方向（Ｙ）の両側に設けた左右両側部（５，６）間には、前記操作腕（２３）が頭部から挿入される溝部（４）を設けるとともに、その溝部（４）でこの操作腕（２３）が案内される案内部（１０）を設けている。前記ハンドル（１）のカム面（１１）はこの左右両側部（５，６）間の案内部（１０）に設けられて前後方向（Ｘ）へ延設されている。前記操作腕（２３）にはこの案内部（１０）が嵌入される案内孔（３９）を設けている。前記操作腕（２３）のカム面（３５）はこの案内孔（３９）に設けられて前後方向（Ｘ）へ延設されている。請求項３の発明では、ハンドル（１）の溝部（４）において案内部（１０）と操作腕（２３）の案内孔（３９）との間のカム面（１１，３５）により、カバー（２１）が刃体（１２）に当接しないように移動するので、従来の医療用刃物においてカバーに対する刃体の当接を回避するために必要であった膨出部をカバー（２１）から省略することができるばかりではなく、案内部（１０）及び操作腕（２３）をハンドル（１）の溝部（４）に挿入してハンドル（１）を小形化することができる。
【００１１】
請求項３の発明を前提とする請求項４の発明において、前記ハンドル（１）の案内部（１０）のカム面（１１）と前記操作腕（２３）の案内孔（３９）のカム面（３５）とは、それぞれ、一連に延設されて互いに摺接されている。請求項４の発明では、ハンドル（１）に対するカバー（２１）及び操作腕（２３）の移動を円滑に行うことができる。
【００１２】
請求項３または請求項４の発明を前提とする請求項５の発明において、前記操作腕（２３）は前後方向（Ｘ）及び左右方向（Ｙ）に対し直交する上下方向（Ｚ）の両側でカバー（２１）から延設した上下両腕（２４，２５）を有し、この上下両腕（２４，２５）間の後端部に設けた連結部（２６，２７）間が互いに離間した状態で上下両腕（２４，２５）間に設けた長孔（３９ａ）は、この上下両連結部（２６，２７）を互いに連結した状態で、前記案内孔（３９）を形成する。請求項５の発明では、上下両腕（２４，２５）の連結部（２６，２７）を互いに離間させた状態で上下両腕（２４，２５）間の長孔（３９ａ）に溝部（４）の案内部（１０）を挿入した後に、その上下両連結部（２６，２７）を互いに連結して、案内孔（３９）に案内部（１０）を嵌入することができる。従って、ハンドル（１）にカバー（２１）及び操作腕（２３）を組み付け易い。
【００１３】
請求項１〜５のうちいずれか一つの請求項の発明を前提とする請求項６の発明において、前記カバー（２１）は筒状をなし、前記刃体（１２）は前記刃体不使用位置（Ｐ）でこのカバー（２１）内に収容されるとともに、前記刃体使用可能位置（Ｑ）でこのカバー（２１）から露出する。請求項６の発明では、ハンドル（１）と操作腕（２３）との間のカム面（１１，３５）により、筒状のカバー（２１）が刃体（１２）に当接しないように移動するので、従来の医療用刃物においてカバーに対する刃体の当接を回避するために必要であった膨出部をカバー（２１）から省略することができる。
【００１４】
請求項６の発明を前提とする請求項７の発明において、前記刃体（１２）はハンドル（１）の頭部に取り付けた支持部（１２ａ）で屈曲された刃部（１２ｂ）を有し、前記カバー（２１）が前記刃体不使用位置（Ｐ）で向く向き（２１Ｐ）は、前記カバー（２１）が前記刃体使用可能位置（Ｑ）で向く向き（２１Ｑ）に対し刃部（１２ｂ）の屈曲向き側へ傾斜している。請求項８の発明では、刃部（１２ｂ）の屈曲向きに合わせて筒状のカバー（２１）が移動するので、カバー（２１）が刃体（１２）に当接しない。
【００１５】
請求項８の発明にかかる医療用刃物は、ハンドル（１）とそのハンドル（１）の頭部に取り付けた刃体（１２）を保護し得るカバー（２１）を有する可動体（２０）とを備えている。この可動体（２０）は、ハンドル（１）に対しハンドル（１）の長手方向に沿う前後方向（Ｘ）へ移動可能に支持されて、カバー（２１）により刃体（１２）を保護し得る刃体不使用位置（Ｐ）と、カバー（２１）から刃体(１２)を露出し得る刃体使用可能位置（Ｑ）とを取る。前記可動体（２０）が向く向き（２１Ｐ，２１Ｑ）は前記刃体不使用位置（Ｐ）と刃体使用可能位置（Ｑ）とで互いに異なる。請求項８の発明では、可動体（２０）が向く向き（２１Ｐ，２１Ｑ）を刃体不使用位置（Ｐ）と刃体使用可能位置（Ｑ）とで互いに変えて、可動体（２０）が刃体（１２）に当接しないように移動するので、従来の医療用刃物においてカバーに対する刃体の当接を回避するために必要であった膨出部を可動体（２０）から省略することができる。
【００１６】
次に、請求項以外の技術的思想について実施形態の図面の符号を援用して説明する。
請求項７の発明を前提とする第９の発明において、前記刃体（１２）の刃部（１２ｂ）は、前記刃体使用可能位置（Ｑ）で、カバー（２１）の前端部に設けた刃体出入口部（２２）を外側に延長させた範囲（Ｓ）の外側に突出する。第９の発明では、カバー（２１）の刃体出入口部（２２）を外側に延長させた範囲（Ｓ）の外側に刃部（１２ｂ）が突出していても、刃体（１２）にカバー（２１）が当接しない。
【００１７】
請求項２〜８のうちいずれか一つの請求項の発明を前提とする第１０の発明において、前記ハンドル（１）は、前記頭部を有するカバー支持部（２）と、そのカバー支持部（２）に対し長手方向（Ｘ）で連続する把持部（３）とを備え、前記カバー（２１）は刃体使用可能位置（Ｑ）でこのカバー支持部（２）の外側に被せられる。第１０の発明では、ハンドル（１）のカバー支持部（２）と操作腕（２３）との間のカム面（１１，３５）により、カバー（２１）が刃体（１２）に当接しないように移動するので、従来の医療用刃物においてカバーに対する刃体の当接を回避するために必要であった膨出部をカバー（２１）から省略することができる。
【００１８】
第１０の発明を前提とする第１１の発明においては、前記刃体使用可能位置（Ｑ）で、カバー（２１）の後端部が把持部（３）の前端部に対し隙間（Ｇ）をあけて配置され、把持部（３）の外周面を含む想定面上にカバー（２１）の外周面を配置した。第１１の発明では、把持部（３）の前端部の外周面とカバー（２１）の後端部の外周面とが滑らかに連続するとともに、把持部（２）の前端部に当てがった手指の把持位置を隙間（Ｇ）及び外周面に対する感触によりカバー（２１）を見ずに確認することができる。
【発明の効果】
【００１９】
本発明は、眼科用メスなどの医療用刃物において、カバー（２１）を有する可動体（２０）が刃体不使用位置（Ｐ）及び刃体使用可能位置（Ｑ）で刃体（１２）に当接しないように移動するので、従来の医療用刃物においてカバーに対する刃体の当接を回避するために必要であった膨出部を可動体（２０）から省略することができる。
【図面の簡単な説明】
【００２０】
【図１】（ａ）は医療用刃物のハンドルの背面側を斜め上方から見た斜視図であり、（ｂ）は同じく背面側を斜め下方から見た斜視図であり、（ｃ）は同じく背面側から見た部分断面図である。
【図２】（ａ）は医療用刃物のカバー及び開状態の操作腕の背面側を斜め上方から見た斜視図であり、（ｂ）は同じく背面側を斜め下方から見た斜視図であり、（ｃ）は同じくカバー及び閉状態の操作腕を背面側から見た断面図である。
【図３】（ａ）は刃体不使用位置にある医療用刃物の背面側を斜め上方から見た斜視図であり、（ｂ）は同じく背面側から見た部分断面図であり、（ｃ）は（ｂ）のＡ−Ａ線断面図である。
【図４】（ａ）は刃体使用可能位置にある医療用刃物の背面側を斜め上方から見た斜視図であり、（ｂ）は同じく背面側から見た部分断面図であり、（ｃ）は（ｂ）のＢ−Ｂ線断面図である。
【図５】（ａ）は刃体不使用位置にある医療用刃物においてロック回避位置を背面側から見た部分断面図であり、（ｂ）は同じくロック位置を背面側から見た部分断面図であり、（ｃ）は刃体使用可能位置にある医療用刃物においてロック回避位置を背面側から見た部分断面図である。
【発明を実施するための形態】
【００２１】
以下、本発明の一実施形態にかかる医療用刃物について図面を参照して説明する。
図１に示すハンドル１は、プラスチックにより一体成形され、前端部である頭部を有するカバー支持部２と、そのカバー支持部２に対し長手方向に沿う前後方向Ｘで連続する把持部３とを備えている。カバー支持部２は把持部３の前端部から前方へ突設されている。把持部３の後端部の下側には平坦なころがり防止部３ａが形成されている。
【００２２】
ハンドル１には前後方向Ｘに対し直交する左右方向Ｙの両側に側部５，６が設けられているとともに、カバー支持部２の前端部から把持部３の後端部へ向けて前後方向Ｘへ延設された溝部４が左右両側部５，６間で設けられている。溝部４は、前開口７で前方に開放されているとともに、前後方向Ｘ及び左右方向Ｙに対し直交する上下方向Ｚの両側で上開口８及び下開口９に開放されている。溝部４の下側で左右両側部５，６間には案内部１０が前開口７から溝部４の前後方向Ｘの中央部にわたり形成されている。案内部１０の上側と下側とにはカム面１１が形成されている。上下両カム面１１は、案内部１０の後端部から前端部にわたり前後方向Ｘへ一連に延設され、後端部から前端部に向かうに従い次第に高くなるように上方に湾曲してハンドル１の長手方向Ｘに対し傾斜している。
【００２３】
カバー支持部２の前端部に取り付けられる刃体１２は、案内部１０の前端部に挿着されて前方へ突出する支持部１２ａと、支持部１２ａの前端部で斜め前方に向けて上方へ屈曲された刃部１２ｂとを有している。把持部３の前端部の少し後方で、右側部６の上側には係止凹部１３が形成され、右側部６の下側には案内凹部１４が前後方向Ｘへ延設されている。案内凹部１４の前端部には前方側で壁により閉塞されているとともに後方側で開放されたストッパ部１５ａが形成され、案内凹部１４の後端部には前後両端部で閉塞された凹状のストッパ部１５ｂが形成されている。溝部４の後端部上に形成された凹所１６の上方に隣接して把持部３上には前方へ突出する片持ち梁状のロック操作部１７が形成されている。ロック操作部１７は可撓腕であって、可撓腕１７の前端部には当接部１８が形成されているとともに、段差状の保持部１９が形成されている。
【００２４】
図２に示す可動体２０は、プラスチックにより一体成形され、前端部の刃体出入口部２２と後端部とで前後方向Ｘへ開放された筒状のカバー２１と、そのカバー２１の後端部から後方へ延設された操作腕２３とを備えている。操作腕２３は、カバー２１の後端部の上側から後方へ延設された上腕２４と、カバー２１の後端部の下側から後方へ延設された下腕２５とを有している。上腕２４の後端部と下腕２５の後端部とには連結部２６，２７が形成されている。上腕２４において、カバー２１の後端部と連結部２６との間で、上側には左右方向Ｙ及び上下方向Ｚに撓み得る両持ち梁状の可撓部２８が前後方向Ｘへ延設されているとともに、下側には案内腕部２９が前後方向Ｘへ延設され、可撓部２８と案内腕部２９との間には長孔３０が前後方向Ｘへ延設されている。操作腕２３の上腕２４の後端部には当接部３１が形成されているとともに、段差状の保持部３２が形成されている。可撓部２８上の前後方向Ｘの中央部にはカバー操作部２８ａが上方に突設され、カバー操作部２８ａの下方で可撓部２８の右側に係止凸部３３が形成されている。
【００２５】
下腕２５においては、カバー２１の後端部と連結部２７との間に載置腕部３６が前後方向Ｘへ延設され、載置腕部３６の右側に係止凸部３４が形成されている。案内腕部２９の下側と載置腕部３６の上側とにはカム面３５が形成されている。上下両カム面３５は、案内腕部２９及び載置腕部３６の後端部から前端部にわたり前後方向Ｘへ一連に延設され、ハンドル１の案内部１０の上下両カム面１１に合わせて湾曲してハンドル１の長手方向Ｘに対し傾斜している。上腕２４の連結部２６の下側に形成された連結凹部３７と、下腕２５の連結部２７の上側に形成された連結凸部３８とが互いに嵌着され、その嵌着前状態で上腕２４の案内腕部２９の下側と下腕２５の載置腕部３６の上側との間に形成された長孔３９ａがそれらの連結部２６，２７で閉塞されて案内孔３９が前後方向Ｘへ延設される。
【００２６】
図２の可動体２０を図１のハンドル１に組み付ける際には、まず、案内部１０の前端部に刃体１２の支持部１２ａを挿着する。そして、図３，４に示すように、上下両連結部２６，２７を上下方向Ｚへ互いに開いて操作腕２３をカバー支持部２及び把持部３の溝部４にカバー支持部２側から挿入し、刃体１２及び案内部１０を上下両連結部２６，２７間から長孔３９ａに挿入する。その後、上下両連結部２６，２７を互いに連結すると、刃体１２がカバー２１に収容されるとともに、案内部１０が案内孔３９に嵌入される。また、案内部１０の前端部に刃体１２の支持部１２ａを挿着する前に、操作腕２３を溝部４に挿入し、案内部１０を上下両連結部２６，２７間から長孔３９ａに挿入した後、上下両連結部２６，２７を互いに連結し、その後に案内部１０の前端部に刃体１２の支持部１２ａを挿着することもできる。その状態で、案内部１０の上下両カム面１１と案内孔３９の上下両カム面３５とは互いに摺接される。カバー２１は刃体１２及びカバー支持部２の外側に被せられる。カバー操作部２８ａ及びロック操作部１７（可撓腕）は溝部４から上方へ突出する。
【００２７】
図３に示すように、カバー２１の刃体不使用位置Ｐでは、上腕２４の係止凸部３３が係止凹部１３に係入されるとともに、下腕２５の係止凸部３４が前側ストッパ部１５ａに係入され、載置腕部３６が案内部１０に対し段差部３６ａ，１０ａで停止されてカバー２１及び操作腕２３の前方への移動が阻止され、カバー２１が刃体不使用位置Ｐで保持される。刃体１２はカバー２１に収容される。
【００２８】
刃体不使用位置Ｐでカバー操作部２８ａを可撓部２８の弾性力に抗して下方へ押すと、上腕２４の係止凸部３３は係止凹部１３の斜面１３ａにより左右方向Ｙへ移動されるとともに溝部４側に押されて係止凹部１３から離脱する。その後、カバー操作部２８ａを下方へ押したまま溝部４に沿って後方へ移動させると、下腕２５の係止凸部３４が前側ストッパ部１５ａから離脱して案内凹部１４に沿って後方へ移動し、案内部１０の上下両カム面１１と案内孔３９の上下両カム面３５とが互いに摺接されながら、カバー２１及び操作腕２３も溝部４に沿って後方へ移動する。そして、図４に示すように、下腕２５の係止凸部３４が凹状の後側ストッパ部１５ｂに係入されてカバー２１が刃体使用可能位置Ｑで保持される。カバー２１は、刃体不使用位置Ｐから刃体使用可能位置Ｑに移動する際に、上下両カム面１１と上下両カム面３５とで案内されて刃体１２に対し回避されて当接しない。刃体使用可能位置Ｑで、カバー２１の後端部は把持部３の前端部に対し隙間Ｇをあけて配置されるとともに、把持部３の外周面を含む想定面上にカバー２１の外周面が配置され、カバー２１の刃体出入口部２２を外側に延長させた範囲Ｓの外側に刃体１２の刃部１２ｂの先端部が突出する。カバー２１が刃体使用可能位置Ｑで向く向き２１Ｑは前後方向Ｘに沿い、カバー２１が刃体不使用位置Ｐで向く向き２１Ｐは、この向き２１Ｑに対し刃部１２ｂの屈曲向き側へ角度θだけ傾斜している。
【００２９】
刃体使用可能位置Ｑからカバー操作部２８ａを溝部４に沿って前方へ移動させると、係止凸部３４が凹状の後側ストッパ部１５ｂから離脱して案内凹部１４に沿って前方へ移動し、案内部１０の上下両カム面１１と案内孔３９の上下両カム面３５とが互いに摺接されながら、カバー２１及び操作腕２３も溝部４に沿って前方へ移動する。そして、図３に示すように、係止凸部３４が前側ストッパ部１５ａに係止されるとともに、係止凸部３３が可撓部２８の弾性力により係止凹部１３に係入されてカバー２１が刃体不使用位置Ｐで保持される。カバー２１は、刃体使用可能位置Ｑから刃体不使用位置Ｐに移動する際に、上下両カム面１１と上下両カム面３５とで案内されて刃体１２に対し回避されて当接しない。
【００３０】
図５（ａ）に示すカバー２１の刃体不使用位置Ｐでロック回避位置Ｅにあるロック操作部１７（可撓腕）において、操作腕２３の連結部２６の後方で隣接する可撓腕１７をその弾性力に抗して下方へ押すと、可撓腕１７が下方へ撓む。そのため、図５（ｂ）に示すように、操作腕２３の当接部３１が可撓腕１７の当接部１８に当接して、カバー２１及び操作腕２３が刃体不使用位置Ｐから刃体使用可能位置Ｑへ移動するのをこれらの当接部３１，１８により阻止することができる。また、可撓腕１７の保持部１９が操作腕２３の保持部３２に保持されて、可撓腕１７がロック位置Ｆからロック回避位置Ｅに戻るのをこれらの保持部１９，３２により阻止してロック位置Ｆを維持することができる。
【００３１】
図５（ｃ）に示すように、刃体使用可能位置Ｑではロック操作部１７（可撓腕）においてロック回避位置Ｅからロック位置Ｆへの不用意な移動操作を操作腕２３により阻止することができる。なお、刃体不使用位置Ｐと刃体使用可能位置Ｑとの間の途中位置においても、ロック操作部１７（可撓腕）が下方へ撓む空間内に操作腕２３の連結部２６が入り込むと、ロック操作部１７のロック回避位置Ｅからロック位置Ｆへの不用意な移動操作を阻止することができる。
【００３２】
次に、医療用刃物の使用例について述べる。
医療用刃物をカバー２１の刃体不使用位置Ｐで保管することができる。カバー２１を刃体不使用位置Ｐから刃体使用可能位置Ｑに移動させると、刃体１２がカバー２１から突出するため、医療用刃物を使用することができる。カバー２１を刃体不使用位置Ｐと刃体使用可能位置Ｑとの間で移動させることができるため、医療用刃物を再利用することができるが、カバー２１をロック操作部１７により刃体不使用位置Ｐで保持すると、カバー２１の移動が永続的に阻止されて医療用刃物を再利用することができない。再利用できない状態で廃棄することが好ましい。また、ハンドル１に対し刃体１２が交換不能に取り付けられている場合には一回の使用で廃棄することが好ましい。このように医療用刃物を使用する場合に、カバー２１は刃体不使用位置Ｐと刃体使用可能位置Ｑとの間で移動する際にカム面１１，３５で案内されて刃体１２に対し回避されて当接しない。
【００３３】
本実施形態は下記の効果を有する。
（１）  ハンドル１の案内部１０のカム面１１と可動体２０の操作腕２３のカム面３５との摺接により、可動体２０のカバー２１が刃体１２に当接しないように刃体不使用位置Ｐと刃体使用可能位置Ｑとの間で移動するので、従来の医療用刃物においてカバーに対する刃体の当接を回避するために必要であった膨出部をカバー２１から省略することができる。その場合、案内部１０及び操作腕２３をハンドル１の溝部４に挿入してハンドル１を小形化することができる。
【００３４】
（２）  上下両腕２４，２５の連結部２６，２７を互いに離間させた状態で上下両腕２４，２５間の長孔３９ａに溝部４の案内部１０を挿入した後に、その上下両連結部２６，２７を互いに連結して、案内孔３９に案内部１０を嵌入することができる。
【００３５】
前記実施形態以外にも例えば下記のように構成してもよい。
・  前記実施形態において、可動体２０はカバー２１と操作腕２３とにより設けられ、ハンドル１の案内部１０のカム面１１と操作腕２３のカム面３５とにより、カバー２１及び操作腕２３が刃体不使用位置Ｐと刃体使用可能位置Ｑとの間で移動する。そのほか、可動体の全体をカバーとし、カバーとハンドルとの間にカム面を設けることができる。
【００３６】
・  前記実施形態において、案内部１０のカム面１１は、後端部から前端部に向かうに従い刃部１２ｂの屈曲向き側へ次第に高くなるように湾曲して傾斜している。そのほか、カム面１１については、後端部から前端部に向けて直線的に延設した後に、刃体不使用位置Ｐでカバー２１が刃体１２に当接する直前で、刃部１２ｂの屈曲向き側へ直線的に屈曲させて延設させてもよい。また、操作腕２３のカム面３５については、カム面１１に合わせて延設する。
【００３７】
・  前記実施形態においては、ハンドル１の案内部１０の上下両側に形成したカム面１１と、案内腕部２９の下側と載置腕部３６の上側とに形成したカム面３５とを互いに組み合わせて摺接させた二組のカム面１１，３５を設けているが、一組のカム面１１，３５のみを設けることができる。
【００３８】
・  前記実施形態においては、ハンドル１の溝部４の案内部１０にカム面１１を設けるとともに、操作腕２３にカム面３５を設けている。そのほか、例えば、ハンドル１の左右両側部５，６の外側に延設した案内部にカム面を設けるとともに、左右両側部５，６の外側に被せられるカバーの内側に延設した案内部にカム面を設け、それらの案内部を互いに嵌合させてカム面を互いに摺接させる。
【００３９】
・  前記実施形態においては、把持部３の右側部６の前側に係止凹部１３を設けるとともに、カバー２１の可撓部２８の中央部に係止凸部３３を設けている。そのほか、前側係止凹部１３に加えて、把持部３の右側部６の後側にも係止凹部を設けてもよい。
【００４０】
・  前記実施形態のハンドル１において、右側部６の案内凹部１４の前後両端部に設けたストッパ部１５ａ，１５ｂのうち、前端部のストッパ部１５ａを後端部のストッパ部１５ｂと同様に凹状に設けてもよい。
【００４１】
・  前記実施形態の操作腕２３においては、上腕２４の連結部２６と下腕２５の連結部２７とが共に開くが、一方のみが他方に対し開くようにしてもよい。また、操作腕２３の上腕２４と下腕２５とを互いに開くことなく一体に形成するとともに、把持部３の左右両側部５，６のうち少なくとも一方をヒンジ結合等により互いに開くようにし、左右両側部５，６を互いに開いた状態で操作腕２３を取り付けるようにしてもよい。
【００４２】
・  前記実施形態においては、カバー操作部２８ａを下方へ押すと、上腕２４の係止凸部３３が係止凹部１３の斜面１３ａにより左右方向Ｙへ移動されるとともに溝部４側に押されて係止凹部１３から離脱する。そのほか、係止凹部１３の斜面１３ａを省略し、カバー操作部２８ａを左右方向Ｙへ移動させることなく下方へ押すだけで係止凸部３３を係止凹部１３から離脱させるようにしてもよい。また、係止凹部１３に対する係止凸部３３の係脱については、凹凸構成以外に、圧接力や磁力を利用するようにしてもよい。
【００４３】
・  前記実施形態においては、ロック操作部１７（可撓腕）をハンドル１の上側に設けるとともに、カバー操作部２８ａを操作腕２３の上側に設けているが、ロック操作部１７（可撓腕）やカバー操作部２８ａを設ける位置を下側や左右両側など上側以外に設けることができる。
【００４４】
・  前記実施形態においては、ハンドル１に対し刃体１２を着脱不能に取り付けているが、着脱可能にまたは交換可能に取り付けてもよい。
・  前記実施形態において、ロック操作部１７を省略してもよい。
【００４５】
・  ハンドル１の断面外周形状とカバー２１の断面外周形状とを互いに同じ円形に設けているが、円形以外に、五角形や六角形などの多角形に設けてもよい。また、ハンドル１の断面外周形状とカバー２１の断面外周形状とを互いに異なる形状に設けてもよい。
【００４６】
・  前記実施形態においては、カバー２１と操作腕２３とを一体成形しているが、例えばカバ２１ーと操作腕２３とを別々に成形して互いに組み付けてもよい。
・  前記実施形態において、ハンドル１の材質としては、例えば、ポリプロピレン樹脂やポリブチレンテレフタレート樹脂やＡＢＳ樹脂などを採用することができる。また、可動体２０（カバー２１及び操作腕２３）の材質としては、ポリプロピレン樹脂やポリカーボネート樹脂やメタクリル樹脂やＡＢＳ樹脂などを採用することができる。
【００４７】
・  可動体２０（カバー２１及び操作腕２３）については、透明樹脂や半透明の透過性樹脂で成形することが好ましいが、不透明樹脂で成形してもよい。
・  前記実施形態において、ハンドル１及び可動体２０（カバー２１及び操作腕２３）の材質としては、プラスチック以外に、例えばステンレス鋼やチタンなどの金属を採用することができる。
【００４８】
・  前記実施形態において、ハンドル１の把持部３の外周には、滑止め部として、周方向へ細長い長方形状に設けた複数の凹部が周方向及び長手方向へ並設されている。そのほか、異なる形状の凹部や細かい突起や細長い突条など、滑止め部の形状を変更することができる。
【符号の説明】
【００４９】
１…ハンドル、４…ハンドルの溝部、５…ハンドルの左側部、６…ハンドルの右側部、１０…ハンドルの案内部、１１…ハンドルのカム面、１２…刃体、１２ａ…支持部、１２ｂ…刃部、２０…可動体、２１…可動体のカバー、２１Ｐ，２１Ｑ…カバーの向き、２３…可動体の操作腕、２４…上腕、２５…下腕、２６…上腕の連結部、２７…下腕の連結部、３５…操作腕のカム面、３９…操作腕の案内孔、Ｐ…刃体不使用位置、Ｑ…刃体使用可能位置、Ｘ…長手方向に沿う前後方向、Ｙ…左右方向、Ｚ…上下方向。
【図１】
2018143323.tif 000003
【図２】
2018143323.tif 000004
【図３】
2018143323.tif 000005
【図４】
2018143323.tif 000006
【図５】
2018143323.tif 000007